(57)【要約】【課題】容器を製造するステップの一部として無線装置をプラスチック容器の中に組み込むプロセスを提供する。【解決手段】プラスチック容器は可撓性プラスチックの袋であることができ、プラスチックフィルムの１枚または複数枚のシート、一般的には２枚以上のシートから形成され、あるいはタブまたは運搬箱などの剛性プラスチック容器であることができる。袋は、各フィルム層の隣接した縁部分を共に封着することによって形成される。無線装置がフィルム材料の中に恒久的に密封された状態になりかつ袋の内部からも外部環境からも離隔されるように、封着前または封着中に無線装置をフィルムの縁部分同士の間に組み込む。あるいは、無線装置が容器に恒久的に封着されかつ袋の内部からも外部環境からも離隔されるように、ニップルまたはポートなどの容器に封着されるプラスチック構成要素上に、またはその中に無線装置を組み込む。【選択図】図１
2014198603.tif 000002
【特許請求の範囲】
【請求項１】
使い捨て容器の中に無線装置を恒久的に組み込むプロセスであって、メモリ、アンテナ、および通信用構成要素を有した、単一体として形成された無線装置を選択するステップと、容器を製作するためのプラスチック構成要素を提供するステップと、容器が形成される際に無線装置がその中に恒久的に密封されるように、無線装置を構成要素の中に組み込むステップとを備える、プロセス。
【請求項２】
無線装置が容器内に形成された閉じ目の中に密封される、請求項１に記載のプロセス。
【請求項３】
無線装置が、容器に封着されたポートの中に組み込まれる、請求項１に記載のプロセス。
【請求項４】
無線装置が読取り専用装置であり、製造元、ロット番号、製造の日付、殺菌の日付、およびその組み合わせからなる群から選択されたデータを有する、請求項１に記載のプロセス。
【請求項５】
無線装置が、データをそれに書き込んで有することが可能な読取り／書き込み装置である、請求項１に記載のプロセス。
【請求項６】
第２の無線メモリ／通信用装置を容器用ホルダに取り付けてさらに備える、請求項１に記載のプロセス。
【請求項７】
無線装置が読取り／書き込み装置であり、無線装置上に１つまたは複数の追跡可能な事象がロードされる、請求項１に記載のプロセス。
【請求項８】
プラスチック構成要素が、互いに流体密に封着されることが可能な、対応した対合可能な縁部を有した少なくとも２枚のプラスチックのフィルムであり、無線装置は、対合可能な縁部を互いに封着させる前または間に、対合可能な縁部同士の間に配置され、そこに保持される、請求項１に記載のプロセス。
【請求項９】
使い捨て容器の中に無線装置を恒久的に組み込むプロセスであって、メモリ、アンテナ、および通信用構成要素を有した、単一体として形成された無線装置を選択するステップと、容器を製作するためのプラスチック構成要素を提供するステップとを備え、プラスチック構成要素は、互いに流体密に封着されることが可能な、対応した対合可能な縁部を有した少なくとも２枚のプラスチックのフィルムであり、容器が形成される際に無線装置がその中に恒久的に密封されるように、無線装置は、対合可能な縁部を互いに封着させる前または間に、対合可能な縁部同士の間に配置され、そこに保持される、プロセス。
【請求項１０】
使い捨て容器の中に無線装置を恒久的に組み込むプロセスであって、メモリ、アンテナ、および通信用構成要素を有した、単一体として形成された無線装置を選択するステップと、対合され、容器に封着されるプラスチック構成要素を提供するステップと、無線装置をプラスチック構成要素の中に組み込むステップと、無線装置が恒久的に容器に封着されるように、無線装置を含んだプラスチック構成要素を容器の所望位置に取り付け、封着するステップとを含む、プロセス。
【請求項１１】
プラスチック構成要素が、ポート、鳩目、および位置合わせ板からなる群から選択される、請求項１０に記載のプロセス。
【請求項１２】
プラスチック構成要素が、容器内の開口部を取り囲んだフランジ部分を有したポートであり、無線装置はポートのフランジ部分に取り付けられる、請求項１０に記載のプロセス。
【請求項１３】
プラスチック構成要素が、容器内の開口部を取り囲んだフランジ部分を有したポートであり、無線装置はポートのフランジ部分に成形される、請求項１０に記載のプロセス。
【請求項１４】
プラスチック構成要素が、容器内の開口部を取り囲んだフランジ部分を有したポートであり、無線装置はポートのフランジ部分の中に成形される、請求項１０に記載のプロセス。
【請求項１５】
プラスチック構成要素が鳩目であり、無線装置は鳩目に取り付けられる、請求項１０に記載のプロセス。
【請求項１６】
プラスチック構成要素が鳩目であり、無線装置は鳩目に成形される、請求項１０に記載のプロセス。
【請求項１７】
プラスチック構成要素が鳩目であり、無線装置は鳩目の中に成形される、請求項１０に記載のプロセス。
【発明の詳細な説明】
【技術分野】
【０００１】
本出願は、２００８年７月７日出願の米国特許仮出願第６１／１３４１６９号明細書の優先権を主張し、その全内容は参照により本明細書に組み込まれる。
【０００２】
本発明は、無線機能付き装置を使い捨て袋および使い捨て容器の中に恒久的に組み込むプロセスおよび装置に関する。より詳しくは、本発明はＲＦＩＤタグなどの無線装置を袋または容器の構造の中に、あるいは袋または容器に恒久的に取り付けられた袋または容器の構成要素の中に組み込むことに関する。
【背景技術】
【０００３】
識別装置、好ましくは能動型または対話型の識別装置を使用することは、いくつかのビジネスにとって一般的な項目になってきている。これらは簡単なバーコードから立体的バーコード、さらに読取り専用または読取り書込みＲＦＩＤチップ（能動型または対話型）などのより最新の無線装置まで多岐にわたる。
【０００４】
多くの製品において、無線装置は、製品が出荷される紙製荷箱に単に取り付けられ、保管および輸送中のみに有用である。
【０００５】
より最近では、無線装置は、製品の有効期間中いつでも照会を受けることができるように、製品自体に取り付けられるようになってきている。
【０００６】
管やフィルタなどのプラスチック部品に対しては、このようなタグを取り付けるための様々な方法が提案されている。これらには、タグを管のカラー上に成形すること、またはタグを管またはフィルタハウジングの一部として成形することがある。他の用途では、接着パッチまたはパウチを使用してタグを製品に接合することが提案されている。タグを取り込むようにテープを螺旋状に巻き付けることも提案されている。最後に、タグを含んだストラップまたは「ドッグタグ」を用いて装置に取り付けることも提案されている。
【０００７】
プラスチック材料の形成の一部として成形を行うなどのこれらのアプローチの多くは、袋および容器を製作するためのプラスチックフィルムではうまくいかない。フィルムの製造プロセスが難しく、フィルムが製作される際にタグをフィルム内に配置することは不可能に近い。さらに、フィルムを使用して様々な寸法の袋を製作することから、タグを配置してゆく作業は、容器毎にタグを設けながらこれを成し遂げることとはほど遠い結果となる。このことは、様々な寸法の袋の製作において、プラスチックまたはタグ自体の無駄をもたらす。
【０００８】
パウチ、ストラップ、またはドッグタグなどの他の手段は全て別個のステップとして存在し、それらが忘れられる場合があるというリスクがある。さらに、それらは追加の加工ステップであり、追加の要素（パウチまたはパッチ、ストラップ、あるいはドッグタグ）を使用することが必要となる。
【０００９】
必要なものは、容器の製造プロセスの一部としてタグを組み込むプロセスと、そのようなタグ特徴部を有した装置とである。
【先行技術文献】
【特許文献】
【００１０】
【特許文献１】国際公開第１９９９／０１９８５１号
【特許文献２】米国特許第３７２８６９４号明細書
【特許文献３】米国特許第６１４０１３９号明細書
【発明の概要】
【発明が解決しようとする課題】
【００１１】
本発明は、容器を製造するステップの一部として、無線装置をプラスチック容器（袋または剛性プラスチック容器に関わらない）の中に組み込むプロセスを提供する。
【課題を解決するための手段】
【００１２】
プラスチック容器の大部分は袋であり、プラスチックフィルムの１枚または複数枚のシート、一般的には２枚以上のシートから形成されている。袋は各フィルム層の隣接した縁部分を共に封着することによって形成される。本発明の一実施形態は、装置がフィルムの中に恒久的に密封されかつ袋の内部からも外部環境からも隔離されるように、封着前に無線装置をフィルムの縁部分同士の間に組み込むものである。無線装置は、必要に応じてフィルム表面に固着されてもよい。
【００１３】
他の実施形態は、装置が恒久的にプラスチック構成要素の材料上または中に密封されかつ袋の内部からも外部環境からも隔離されるように、ニップルまたはポートなどの容器に封着されたプラスチック構成要素の中に無線装置を組み込むものである。無線装置は、プラスチック構成要素の表面に固着されても、プラスチック構成要素上に被せ成形されても、またはプラスチック構成要素の製造中にその中に成形されてもよい。
【００１４】
いずれの実施形態でも、製造の標準的ステップとして無線装置が組み込まれ、装置を袋の中に組み込むために袋製作において追加のステップが必要になることはない。
【００１５】
任意選択で、無線装置はそれをガンマ線適合性にさせる材料から形成され、これによって、組み立てられた容器が殺菌のためにガンマ照射されることを可能にする。
【００１６】
無線装置は、製造元によって装置にロードされた情報だけを使用者に伝える読取り専用装置であることも、あるいは好ましくは、使用者が使用の日付、容器に加えられた内容物等の追加の追跡可能な事象を付け加えることを可能にする読取り／書取り装置であることもできる。
【００１７】
好ましい一実施形態では、無線装置は、使用者が使い易いように、容器同士で常に同じ相対位置に配置される。例えば、無線装置を同じスポットに有することによって、補助機器または容器ホルダ上などの、新たな容器が使用される度に装置の自動応答（ｉｎｔｅｒｒｏｇａｔｉｏｎ）を可能にする位置に、読取り器を取り付けることが可能となる。
【００１８】
本発明の目的は、使い捨て容器の中に無線装置を恒久的に組み込むプロセスであって、メモリ、アンテナ、および通信用構成要素を有した、単一体として形成された無線装置を選択するステップと、容器を製作するためのプラスチック構成要素を提供するステップと、容器が形成される際に無線装置がその中に恒久的に密封されるように、無線装置を構成要素の中に組み込むステップとを備えたプロセスを提供することである。
【００１９】
本発明の目的は、使い捨て容器の中に無線装置を恒久的に組み込むプロセスであって、メモリ、アンテナ、および通信用構成要素を有した、単一体として形成された無線装置を選択するステップと、容器を製作するためのプラスチック構成要素を提供するステップとを備え、プラスチック構成要素は、互いに流体密に封着されることが可能な、対応した対合可能な縁部を有したプラスチックの少なくとも２枚のフィルムであり、容器が形成される際に無線装置がその中に恒久的に密封されるように、無線装置は、対合可能な縁部を互いに封着させる前または間に、対合可能な縁部同士の間に配置され、そこに保持される、プロセスを提供することである。
【００２０】
本発明の目的は、使い捨て容器の中に無線装置を恒久的に組み込むプロセスであって、メモリ、アンテナ、および通信用構成要素を有した、単一体として形成された無線装置を選択するステップと、対合され、容器に封着されるプラスチック構成要素を提供するステップと、無線装置をプラスチック構成要素の中に組み込むステップと、無線装置が恒久的に容器に封着されるように、無線装置を含んだプラスチック構成要素を容器の所望位置に取り付け、封着するステップとを含んだ、プロセスを提供することである。
【図面の簡単な説明】
【００２１】
【図１】本発明の第１実施形態による袋の平面図である。
【図２】図１の実施形態の横断面図である。
【図３】本発明で有用な典型的な無線装置の平面図である。
【図４】本発明の第２実施形態による袋の平面図である。
【図５】図４の実施形態の横断面図である。
【図６】本発明の一実施形態による容器の一角の接写平面図である。
【図７】本発明のプロセスの第１の好ましい実施形態を示した流れ図である。
【図８Ａ】本発明のプロセスの追加の好ましい実施形態を示した流れ図である。
【図８Ｂ】本発明のプロセスの追加の好ましい実施形態を示した流れ図である。
【発明を実施するための形態】
【００２２】
図１は使い捨て容器２を示している。使い捨て容器２は、本実施形態では、密閉容器２を形成するように共に流体密に封着される、隣接した縁部６を有した、１片または複数片のフィルム４から形成された可撓性プラスチック容器または袋である。ここに示された実施形態では、２片のフィルム４が使用されており、それらは類似寸法のシートの形態にある。２枚のフィルム４は互いに隣接して、好ましくは、少なくとも封着されるそれぞれの縁部６に沿って互いに直接接触している。
【００２３】
無線装置８が封着される縁部同士の間に配置され、次いで縁部同士は共に流体密に封着されてそれらの間に無線装置を閉じ込める。装置８は、製造の日付、容器の製造元、容器の種類、カタログ番号、通し番号等の情報を含んでもよい。これは、封着される縁部６同士の間に装置８が挿入される前に装置８上にロードされても、あるいは装置８が定位置内に密封された後にロードされてもよい。必要に応じて、装置は、接着剤または接着パッドを少なくとも１つの表面に取り付けて有して、フィルムの封着中に装置を一時的にフィルムに固定するようにしてもよい。このような方法で、組み立て中に装置が喪失または移動されることがなくなる。
【００２４】
図２は、図１の実施形態の横断面図を示している。図で分かるように、装置８が容器２の中に恒久的に密封されかつ容器の内部からも外部環境からも隔離されるように、装置８はフィルム４の２つの縁部６の間に含まれている。これによって、接触によって内容物または無線装置のいずれかに悪影響があるかもしれない場合にも、装置が使用されても容器の内容物とは接触しないということを可能にする。さらに、データが失われ、損傷を受けることが決してないように、装置は容器に恒久的に取り付けられ、容器の全有効期間中容器に付いたままとなる。同様に、装置を外部環境から隔離することによって、装置はその完全性を損ねる可能性のある埃、液体、および他の作用から保護される。
【００２５】
無線装置は、図３で示された通りの２つの構成要素と、マイクロチップまたは他のメモリタイプの装置１００と、アンテナ１０２とを本質的に備える。これらは一般的にプラスチック表面またはシート１０４に取り付けられ、またはエポキシ樹脂（図示せず）で保護（ｅｎｃａｐｓｕｌａｔｅｄ）される。アンテナは切断またはパンチ処理された金属アレイ、スクリーン印刷設計、あるいはこれらの装置に共通の他の任意のタイプのアンテナであることができる。装置は、任意の周波数のものであることができるが、高周波（ＨＦ）および極超高周波（ＵＨＦ）が最も一般的である。必要に応じて、装置に装置専用の電源（図示せず）を設けるためにバッテリまたはコンデンサなどの追加の要素が加えられてもよい。しかし、ほとんどのシステムは受動型であり、装置に随時電力投入するために、読取り機／書出し機からの信号に依存している。このような受動型回路は、ポリイミド支持膜で製作されたＴａｇｓｙｓ  ＳＤＭ  ＲＦＩＤタグまたはＤａｔａｌｏｇｉｃ  ＲＦＩＤタグなどの熱的に安定な材料から構築されている（ＷＯ１９９９０１９８５１Ａ１参照）。これらのタグは、容器の熱的組み立て技法に適合可能な熱的成形プロセスに耐えるよう設計され、そのように証明されている。
【００２６】
多くの用途で、容器は殺菌され、少なくとも使用前までは無菌状態である。これらの容器はそれらを無菌状態にするためにベータ放射線またはガンマ放射線で照射される場合が多い。残念ながら、大多数の無線装置は、データの各バイナリービットの値を表すために蓄積電荷を使用していることから、メモリおよび他の構成要素は放射線適合性ではない。このような装置は放射線によって引き起こされる破壊を極めて受け易い。電荷は放射線によって激減または増大され、これが、その中に含まれてもよいその値とデータとに悪影響を及ぼす。このような装置にはＥＥＰＲＯＭ、ＤＲＡＭおよびＳＲＡＭなどのフラシュメモリが含まれるが、これらに限定されるわけではない。
【００２７】
ビットのデータと値とを保持するために蓄積電荷以外の機構を使用する他のメモリ技術も存在する。例えば、ＦＲＡＭ(登録商標）または強磁性ＲＡＭは、状態を記憶するために双安定構造を有した分子を利用しており、安定した分子構造の一方は高または「１」を、他方は低または「０」を表す。ＦＲＡＭ内の共通したいくつかの分子には、ＰＺＴ（ジルコニウム酸チタン酸鉛）、ＳＢＴ（ストロンチウムビスマスタンタル酸塩）、およびＢＬＴ（ランタニウム置換型ビスマスタンタル酸塩）がある。各分子は、双極子モーメンントを有した立方単位セル内に中心原子を有する。分子は、分子への電界の印加に基づいてこれら２つの安定した状態の間で切り替わる。これらのセルは、蓄積電荷よりも電界に依存していることから、この機構を利用したメモリは、ＵＳ３７２８６９４で述べられている従来型セミコンダクタメモリの構造よりもガンマ放射線または他のタイプの放射線の影響をはるかに受けにくい。
【００２８】
記憶機構として電荷を利用しないメモリ装置の他の例にＭＲＡＭがあり、これは磁気抵抗性ＲＡＭまたは単に磁性ＲＡＭとしても知られている。これらの装置は、ホールセンサの形態である場合が多い強磁気材料を使用して、ビットの状態を記憶する。ＵＳ６１４０１３９を参照されたい。容量電荷ではなく磁界が利用されていることから、これらの装置は、放射線、特にガンマ放射線の影響も受けにくい。
【００２９】
放射線の影響を受けないシステムを使用した他の任意の装置もこのような実施形態で使用されてもよい。
【００３０】
無線装置８は、ＲＦＩＤタグ、Ｚｉｇｂｅｅ(登録商標）（Ｒ）装置、Ｂｌｕｅｔｏｏｔｈ(登録商標）（Ｒ）装置、ならびに当分野で知られている類似物などの任意の装置であることができる。
【００３１】
「流体密」とは、容器の封止部が液体密に封止され、空気またはガスのフィルム封止面からの漏洩が検出されない程度まで封止されていることを意味する。当然ながら、選択されたフィルム材料によって、最終的にいくらかのガスが隙間を通って容器の内部から外部環境へ、あるいは外部環境から容器内へと移動する場合があり、この用語は、選択されたフィルムが高不透過性でない場合にはこのことが起こることを認めたものである。ＥＶＯＨなどのガス不透過性プラスチックを使用することによって、容器の壁をわたるガスのこの移動を軽減または解消することができ、この用語によってその側面も同様に網羅されている。
【００３２】
図４は、本発明の第２実施形態を示している。このような容器（袋または剛性容器に関わらない）は、ポート、管ニップル、吊し用鳩目、位置合わせプレートなどの、容器に成形され、または封着される１つまたは複数の構成要素１０を必要とする。構成要素１０は、保管および作業の対象等となる製品などの様々な構成要素の進入、退出、ならびに水、バイオリアクタバッグの場合は細胞培養液、酸素、二酸化炭素、窒素等のガスなどの液体の処理などの他の機能を可能にし、あるいは容器を所望の構成で吊し、または位置合わせするための手段を設けるために必要である。ポート１０（図示）などのこれらのプラスチック構成要素は一般的に、容器２に封着されるフランジ部分１２から形成される。ポート１０の場合には、フランジ部分１２は、容器壁内の開口部１８（図５）のまわりにある。本実施形態では、ポート１０のフランジ部分からステム１４が延在し、これが、図示されているように管１６または他のそのような要素に取り付けられている。他の要素としてフィルタ、殺菌用接続具などが含まれることができるが、それらに限定されるわけではない。代替え方法として、プラスチック構成要素は、共に封着される基本的に類似した２つの部片を有したグロメットまたはリベット状構造物であってもよく、あるいはプラスチック構成要素は、表面に取り付けられるプラスチックの部分を１つだけ有してもよい。
【００３３】
プラスチック構成要素１０の一部に無線装置８が取り付けられている。図４および図５で示されているように、装置８は、プラスチック構成要素１０のフランジ部分１２に取り付けられている。これは、フランジ部分の中に成形されることによって、装置をポートの一部分に熱融着させることによって、または装置を必要に応じてポートの所望部分に固着させることによって行われてもよい。装置を容器の内容物から離隔し、保管中、出荷中、または使用中に装置を外部環境および偶発的損傷から保護するように、装置はポート自体の一部分の中に成形されていることが好ましい。代替え方法として、装置は、単にその位置によって装置が容器の内容物から隔離されるポートの部分上に位置付けられてもよい。そのような位置には、フランジ１２とフランジ１２が取り付けられた容器２の内側表面との間の界面、ならびにステム１４の外側表面（好ましくは、装置を外部環境からさらに隔離および保護するように管１６によって覆われた区域内）があるが、それらに限定されるわけではない。
【００３４】
一部の用途では、使用者が装置を探す必要のないように、無線装置を容器同士で同じ相対的位置に取り付けて有することが望ましい。さらに、付属器具にスキャナが取り付けられた用途では、このことが特に有用である。一実施形態では、装置は容器の入口ポートに取り付けられる。他の実施形態では、装置は最上の閉じ目の左側、右側、または中央に位置付けられる。一部の容器は、設置中または使用中にそれらを真っ直ぐに保持し、またはそれらを位置合わせするために鳩目２０および他の装置を使用している（図６参照）。このような構造物は、容器を使用者に対して方向付ける助けとなって、常に正しい方法で適正な位置合わせになることを保証することから、無線装置８のための別の良い場所である。さらなる実施形態では、無線装置が容易に見つけられるように、装置は高度に着色されてもよく、または装置が取り付けられたプラスチック構成要素が高度に着色される（図示せず）。他の類似の位置も使用されてもよい。
【００３５】
本発明の使い捨て容器は、超高分子量ポリエチレン、直鎖低密度ポリエチレン、低密度または中密度ポリエチレンなどのポリエチレン、ポリプロピレン、エチレン酢酸ビニル（ＥＶＯＨ）、ポリ塩化ビニル（ＰＶＣ）、ポリ酢酸ビニル（ＰＶＡ）、エチレン酢酸ビニルコポリマー（ＥＶＡコポリマ）、様々な熱可塑性プラスチックの混合物、異なる熱可塑性プラスチックの共押出し物、異なる熱可塑性プラスチックの多層ラミネート、または類似物などの高分子組成物から形成されている（「異なる」とは、ＥＶＯＨの１つまたは複数の層を備えたポリエチレン層などの異なる高分子タイプと、分子量、直鎖または分岐鎖高分子または充填剤などの異なる特徴を有した同じ高分子タイプとを含むことを意味するものである）。典型的な医科用等級の、好ましくは動物質を含まないプラスチックが使用されている。容器は、袋などの可撓性プラスチック容器、あるいはビン、箱、運搬箱、樽などの剛性プラスチック容器などであってもよい。それらは蒸気、エチレン酸化物、あるいはベータ放射線またはガンマ放射線などの放射線などによって殺菌されてもよい。ほとんどのものは充分な引張り強度、低ガス移動性を有し、透明または少なくとも半透明である。
【００３６】
使用中、無線装置８はスキャナ（図示せず）によって読取られるが、これは、マサチュセッツ州ビレリカのＭｉｌｌｉｐｏｒｅ  Ｃｏｒｐｏｒａｔｉｏｎから入手可能なＡｃｃｕＳｍａｒｔ（Ｒ）読取り機などのデスクトップ式読取り機などの固定型ステーション、あるいは使用される場合はビン、運搬箱などの容器用ホルダ、またはポンプなど（図示せず）の付属機器のいずれかに取り付けられたスキャナ、あるいはペンシルバニア州、サウスハミルトンのＡｄｖａｎｔａｐｕｒｅ社から入手可能なＨｏｓｅ  Ｔｒａｃｋｅｒ（商標）などの携帯型装置であってもよい。
【００３７】
無線装置は、製造元によってその施設内でロードされた情報だけを含むように、読取り専用装置であってもよい。使用中、無線装置８は、製造元名、容器のタイプもしくは使用上の制限、および殺菌データ等を備えて使用者の施設に到着する。これらは既に無線装置上にロードされているか、あるいは、無線装置上に含まれた認証番号をウェブサイトに提供することによってアクセスされることができる製造元の安全なウェブサイト上に含まれている。また読取り専用無線装置によって、コンピュータ、ローカルもしくはワイドエリアネットワーク、またはインターネットサイトを使用して、無線装置に割り当てられた認証コードを用いて１つまたは複数の追跡可能な事象（使用の種類、使用の日付、内容物等）をコンピュータ、ネットワーク、またはインターネットサイト上に列挙することによって、使用者の手中にある容器に起こることを追跡することもできる。
【００３８】
装置８は、使用者によって追加情報を追加することが可能な読取り／書き込み装置であることが好ましい。この情報は袋の認証（固有の使用者コードまたは特定の使用者用途）または位置、あるいは任意選択で、設定の日付、設定者、内容物等などの少なくとも１つの追跡可能な事象であってもよい。この情報はスキャナによって入力されてもよく、スキャナによって読取られてもよい。情報は無線装置自体に記憶されてもよく、情報は必要に応じてコンピュータまたはネットワーク接続またはインターネットにダウンロードされてもよい。
【００３９】
装置８は受動型装置であって、読取り機によってスキャンまたは応答されるときのみ作動するものでもよい。代替え方法として、装置は能動型装置であって、電源のために電池を含んでも、または磁性誘導システムなどによって電源に結合されてもよい。
【００４０】
記憶用途では、装置８またはコンピュータネットワークまたはインターネットサイトは、維持されるべき温度、記憶の長さなどの特定の記憶指示を含んでもよい。
【００４１】
本発明で請求された無線装置を含んだ、プラスチック袋用の製品を製作するために、図７のステップ３０として示されたように、１枚または複数枚の、好ましくは２枚以上のプラスチックフィルムを提供し、ステップ３２のように封着されるフィルムの一部分上に無線装置を配置し、ステップ３４のように熱融着、膠または接着剤、あるいは音響振動などによってフィルムの所望縁部を共に封着する。
【００４２】
無線装置をポートなどのプラスチック構成要素１０に組み込む際、図８Ａまたは図８Ｂの手順に従う。
【００４３】
図８Ａでは、無線装置はステップ４０でプラスチック構成要素の中に組み込まれる。これは、装置８を構成要素の中にそれが製作される際に成形するなどによって行われてもよい。ステップ４２では、無線装置８を含んだ構成要素は次いで容器２に封着される。
【００４４】
図８Ｂでは、構成要素が製作され、次いで無線装置がそれに関連付けられる。これは、装置を構成要素に被せ成形することによって、または装置を構成要素に固着させることによって行われることができる。代替え方法として、装置は容器の表面に配置され、構成要素が容器に封着される際にそれによって覆われることができる。
【００４５】
実施形態のいずれかによるシステムは、容器に関したデータ、その設定、使用、行われていれば検査結果などの１つまたは複数の追跡可能な事象を電子的に収集および／または記憶することを可能にする。
【００４６】
本発明の無線装置対応システムは、位置、日付、時間、使用者などに関する誤りを解消し、サンプリングシステムにおいて製造管理及び品質管理規則（ＧＭＰ）および非臨床試験の実施基準（ＧＬＰ）を使用することを可能にする。
【実施例】
【００４７】
（実施例１）
無線装置、この実施例では、フランスのＴａｇｓｙｓ  Ｓ．Ａ．からカタログ品目Ａｒｉｏ（商標）ＳＭ−ＩＳＯ  ＲＦＩＤタグとして入手可能な、読取り／書き込みチップおよびアンテナから形成されたＲＦＩＤタグをこの実施例で選択した。無線装置の寸法は幅１４ｍｍ、長さ１４ｍｍ、かつ高さ２ｍｍであった。
【００４８】
ポリエチレンに基づいたプラスチックフィルム（Ｍｉｌｌｉｐｏｒｅ  Ｃｏｒｐｏｒａｔｉｏｎから入手可能なＰｕｒｅｆｌｅｘ（商標）フィルム）の２枚のシートを選択した。
【００４９】
無線装置を、これら２枚の間に挿入する前に、装置をＴａｇｓｙｓ社から入手可能な携帯型読取り機で読取ることによって検査した。
【００５０】
装置を２枚のシートの間の中心に置き、装置のまわりのシートの縁部同士を、１８０℃のアイロンを使用し、手の圧力を用いて熱融着して、バイオバッグの閉じ目とした。
【００５１】
シートを冷却させ、無線装置を検査したところ、情報の読取りも、書き込みも可能であることが判明した。
【００５２】
（実施例２）
無線装置、この実施例では、フランスのＴａｇｓｙｓ  Ｓ．Ａ．からカタログ品目Ａｒｉｏ（商標）ＳＭ−ＩＳＯ  ＲＦＩＤタグとして入手可能な、読取り／書き込みチップおよびアンテナから形成されたＲＦＩＤタグをこの実施例で選択した。無線装置の寸法は幅１４ｍｍ、長さ１４ｍｍ、かつ高さ２ｍｍである。
【００５３】
無線装置を、ハウジングの中に挿入する前に、装置をＴａｇｓｙｓ社から入手可能な携帯型読取り機で読取ることによって検査した。
【００５４】
ポリプロピレンの円形片を、無線装置をポリプロピレンの中に保護するように射出成形した。
【００５５】
円形片の外側表面を、ポリエチレンに基づいたフィルム（Ｍｉｌｌｉｐｏｒｅ  ＣｏｒｐｏｒａｔｉｏｎのＰｕｒｅｆｌｅｘ（商標）フィルム）に置き、フィルムと円形片を、標準型振動熱溶接機を用いて約２００℃で約１分間、これら２つの間に圧力を掛けながら加熱することによってフィルムの外側表面に接合した。次いで振動を停止し、フィルムと円形片を冷却させ、次いで無線装置を検査したところ、情報の読取りも、書き込みも可能であることが判明した。
【符号の説明】
【００５６】
２  使い捨て容器
４  フィルム
６  縁部
８  無線装置
１０  ポート
１２  フランジ部分
１４  ステム
１６  管
１８  開口部
２０  鳩目
１００  メモリタイプの装置
１０２  アンテナ
１０４  シート
【図１】
2014198603.tif 000003
【図２】
2014198603.tif 000004
【図３】
2014198603.tif 000005
【図４】
2014198603.tif 000006
【図５】
2014198603.tif 000007
【図６】
2014198603.tif 000008
【図７】
2014198603.tif 000009
【図８Ａ】
2014198603.tif 000010
【図８Ｂ】
2014198603.tif 000011
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
使い捨てプラスチック容器の中に無線装置を恒久的に組み込むプロセスであって、
メモリ、アンテナ、および通信用構成要素を含み、書き込まれるデータを有することができる読取り／書き込み無線装置を選択するステップと、
前記プラスチック容器に対合されかつ恒久的に密封されるプラスチック構成要素を提供するステップと、
前記プラスチック構成要素と前記プラスチック容器との間に前記無線装置を配置するステップと、
前記プラスチック構成要素が前記無線装置を覆うように、前記プラスチック構成要素を前記プラスチック容器に取り付けかつ恒久的に密封するステップとを含み、前記プラスチック構成要素が、前記プラスチック容器に恒久的に密封され、前記無線装置は、前記プラスチック構成要素と前記プラスチック容器との間に密封され、かつ前記プラスチック容器の内部環境および外部環境の両方から隔離される、プロセス。
【請求項２】
前記プラスチック構成要素は、ポートおよび位置合わせプレートからなるグループから選択される、請求項１に記載のプロセス。
【請求項３】
前記プラスチック構成要素は、前記プラスチック容器における開口部を取り囲むフランジ部分を有するポートである、請求項１に記載のプロセス。
【請求項４】
前記無線装置は、ベータおよびガンマ放射線に適合可能である材料で形成される、請求項１に記載のプロセス。
【請求項５】
前記無線装置は、前記取り付けかつ恒久的に密封するステップの前に、前記プラスチック構成要素に熱融着される、請求項１に記載のプロセス。
【請求項６】
使い捨てプラスチック容器であって、
メモリ、アンテナ、および通信用構成要素を含み、書き込まれるデータを有することができる読取り／書き込み無線装置と、
前記使い捨てプラスチック容器に対合されかつ恒久的に密封されるプラスチック構成要素とを備え、前記読取り／書き込み無線装置は、前記プラスチック構成要素が前記無線装置を覆うように、前記プラスチック構成要素と前記プラスチック容器との間に配置され、前記プラスチック構成要素が、前記プラスチック容器に恒久的に密封され、前記無線装置は、前記プラスチック構成要素と前記プラスチック容器との間に密封され、かつ前記プラスチック容器の内部環境および外部環境の両方から隔離される、使い捨てプラスチック容器。
【請求項７】
前記プラスチック構成要素は、ポートおよび位置合わせプレートからなるグループから選択される、請求項６に記載の使い捨てプラスチック容器。
【請求項８】
前記プラスチック構成要素は、前記プラスチック容器における開口部を取り囲むフランジ部分を有するポートである、請求項６に記載の使い捨てプラスチック容器。
【請求項９】
前記無線装置は、ベータおよびガンマ放射線に適合可能である材料で形成される、請求項６に記載の使い捨てプラスチック容器。
【請求項１０】
前記無線装置は、取り付けかつ恒久的に密封する前に、前記プラスチック構成要素に熱融着される、請求項６に記載の使い捨てプラスチック容器。
【請求項１１】
使い捨てプラスチック容器の自動取扱システムであって、
スキャン装置と、
複数の使い捨てプラスチック容器とを備え、各使い捨てプラスチック容器が、
メモリ、アンテナ、および通信用構成要素を含み、書き込まれるデータを有することができる読取り／書き込み無線装置を備え、前記読取り／書き込み無線装置は、前記スキャン装置によって自動応答可能であり、各使い捨てプラスチック容器はさらに、
前記使い捨てプラスチック容器に対合されかつ恒久的に密封されるプラスチック構成要素を備え、前記読取り／書き込み無線装置は、前記プラスチック構成要素が前記無線装置を覆うように、前記プラスチック構成要素と前記プラスチック容器との間に配置され、前記プラスチック構成要素が、前記プラスチック容器に恒久的に密封され、前記無線装置は、前記プラスチック構成要素と前記プラスチック容器との間に密封され、かつ前記プラスチック容器の内部環境および外部環境の両方から隔離され、
前記読取り／書き込み無線装置および前記プラスチック構成要素は、前記複数の使い捨てプラスチック容器の各プラスチック容器について同じ相対位置に配置される、システム。
【請求項１２】
前記スキャン装置は、携帯型装置である、請求項１１に記載のシステム。
【請求項１３】
前記スキャン装置は、前記複数の使い捨てプラスチック容器のホルダに取り付けられる、請求項１１に記載のシステム。
【請求項１４】
前記複数の使い捨てプラスチック容器は、前記使い捨てプラスチック容器に組み込まれる鳩目を使用して位置合わせされる、請求項１１に記載のシステム。
【請求項１５】
前記スキャン装置と通信する計算装置をさらに備え、前記計算装置は、前記複数の使い捨てプラスチック容器に関連する事象を電子追跡することを可能にする、請求項１１に記載のシステム。
【請求項１６】
前記事象は、前記複数の使い捨てプラスチック容器に関する検査結果に関連するデータを含む、請求項１５に記載のシステム。
【請求項１７】
使い捨てプラスチック容器の中に無線装置を恒久的に組み込むプロセスであって、
メモリ、アンテナ、および通信用構成要素を含み、書き込まれるデータを有することができる読取り／書き込み無線装置を選択するステップと、
前記プラスチック容器に対合されかつ恒久的に密封されるフランジ部分を有するプラスチックポートを提供するステップと、
前記フランジ部分と前記プラスチック容器との間に前記無線装置を配置するステップと、
前記フランジ部分が前記プラスチック容器における開口部を取り囲みかつ前記無線装置を覆うように、前記プラスチックポートを前記プラスチック容器に取り付けかつ恒久的に密封するステップとを含み、前記プラスチックポートが、前記プラスチック容器に恒久的に密封され、前記無線装置は、前記プラスチックポートと前記プラスチック容器との間に密封され、かつ前記プラスチック容器の内部環境および外部環境の両方から隔離される、プロセス。
【請求項１８】
使い捨てプラスチック容器の中に無線装置を恒久的に組み込むプロセスであって、
メモリ、アンテナ、および通信用構成要素を含み、書き込まれるデータを有することができる読取り／書き込み無線装置を選択するステップと、
前記プラスチック容器に対合されかつ恒久的に密封される吊し用鳩目を提供するステップと、
前記無線装置を前記吊し用鳩目に取り付けるステップと、
前記無線装置が前記プラスチック容器に恒久的に密封されるように、前記無線装置を含む前記吊し用鳩目を前記プラスチック容器に所望の位置で取り付けかつ恒久的に密封するステップとを含む、プロセス。
【請求項１９】
前記無線装置は、前記取り付けかつ恒久的に密封するステップの前に前記吊し用鳩目に成形される、請求項１８に記載のプロセス。
【請求項２０】
前記無線装置は、前記取り付けかつ恒久的に密封するステップの前に前記吊し用鳩目に熱融着される、請求項１８に記載のプロセス。